(57)【要約】【課題】  再生されたコンテンツについてユーザが興味や関心を示した部分を把握できるようにすること。【解決手段】  ＰＣ３０は、再生中のコンテンツ４０に対する操作指令を監視して１倍速以下の再生速度で再生された区間を特定し、特定された区間を示す区間情報を用いて再生中のコンテンツ４０に対する再生履歴データ６０を作成し、ＨＤ３０８に記憶する。【選択図】      図５
2006245899.tif 000002
【特許請求の範囲】
【請求項１】
コンテンツを再生する再生手段と、
操作手段と、
前記再生手段により再生中のコンテンツに対する前記操作手段からの操作指令を監視し、前記コンテンツのうち１倍速以下の再生速度で再生された区間を特定する特定手段と、
前記特定手段により特定された区間を示す情報を用いて前記コンテンツの再生履歴データを作成する作成手段と、
前記作成手段により作成された再生履歴データを記憶手段に記憶する制御手段と
を具備することを特徴とする再生装置。
【請求項２】
前記特定手段は、前記再生手段により再生中のコンテンツに対する前記操作手段からの操作指令を監視し、前記コンテンツのうち１倍速以下の再生速度で予め定められた回数以上繰り返して再生された区間を特定する
ことを特徴とする請求項１に記載の再生装置。
【請求項３】
再生するコンテンツの再生履歴データが前記記憶手段に記憶されているか否かを判別する判別手段と、
前記判別手段により前記再生履歴データが記憶されていると判別された場合は、当該再生履歴データを用いて前記再生手段による前記コンテンツの再生動作を制御する再生制御手段とをさらに具備する
ことを特徴とする請求項１に記載の再生装置。
【請求項４】
前記再生制御手段は、前記判別手段により前記再生履歴データが記憶されていると判別された場合は、当該再生履歴データに基づいて、再生するコンテンツのうち１倍速以下の再生速度で再生された区間の先頭に頭出ポイントを設定し、前記操作手段から頭出しを指示する操作指令が入力されると、前記設定された頭出ポイントに再生位置をスキップさせる
ことを特徴とする請求項３に記載の再生装置。
【請求項５】
コンテンツを再生する複数の再生装置と、当該複数の再生装置において再生されるコンテンツを管理する管理装置とを具備するコンテンツ再生システムにおいて、
前記複数の再生装置の各々は、
コンテンツを再生する再生手段と、
操作手段と、
前記再生手段により再生中のコンテンツに対する前記操作手段からの操作指令を監視し、前記コンテンツのうち１倍速以下の再生速度で再生された区間を特定する特定手段と、
前記特定手段により特定された区間を示す情報を用いて前記コンテンツの再生履歴データを作成する作成手段と、
前記作成手段により作成された再生履歴データを前記管理装置へ送信する送信手段とを具備し、
前記管理装置は、
前記再生装置から送信された再生履歴データを受信する受信手段と、
前記受信手段により受信された再生履歴データをコンテンツ毎に分別する分別手段と、
前記分別手段により分別された再生履歴データを解析し、コンテンツ毎に、再生履歴データを受信した再生装置のうち予め定められた割合以上の再生装置において１倍速以下の再生速度で再生された区間を検出する検出手段とを具備する
ことを特徴とするコンテンツ再生システム。
【請求項６】
コンピュータを、
コンテンツを再生する再生手段と、
前記再生手段により再生中のコンテンツに対する操作指令を監視し、前記コンテンツのうち１倍速以下の再生速度で再生された区間を特定する特定手段と、
前記特定手段により特定された区間を示す情報を用いて前記コンテンツの再生履歴データを作成する作成手段と、
前記作成手段により作成された再生履歴データをメモリに記憶する制御手段
として機能させるためのプログラム。
【発明の詳細な説明】
【技術分野】
【０００１】
本発明は、動画データや曲データ等のコンテンツを再生する技術に関する。
【背景技術】
【０００２】
例えば、特許文献１には、複数のコンテンツが順番に再生される場合に、次のコンテンツへのスキップを指示する操作や、前のコンテンツへのバックを指示する操作等を監視し、各コンテンツに対するユーザの嗜好度を算出することが記載されている。
【特許文献１】特開２００３−１４１１５６号公報
【発明の開示】
【発明が解決しようとする課題】
【０００３】
特許文献１に記載された技術によれば、コンテンツ毎にユーザの嗜好度を得ることができるものの、例えばコンテンツが曲データであった場合に、イントロや間奏の部分は好きであるけれどもサビの部分は嫌いである等といった、１つのコンテンツ内における部分毎の嗜好度を得ることができない。また、コンテンツがサッカーの試合の録画映像であって、視聴する時間があまりない場合には、早送り再生で試合の大半を視聴し、ゴールシーンやスーパープレーに遭遇した場合にのみ、その直前まで巻き戻しを行い、ゴールシーンやスーパープレーの部分のみを通常の再生速度で再生する、といった形態でコンテンツが視聴される場合がある。このような場合に、ユーザが興味や関心を示した部分を把握できるようにすると、このコンテンツを再び再生する場合等に何かと便利である。
【０００４】
本発明は、以上説明した事情に鑑みてなされたものであり、その目的は、再生されたコンテンツについてユーザが興味や関心を示した部分を把握できるようにすることである。
【課題を解決するための手段】
【０００５】
上記課題を解決するため、本発明に係る再生装置は、コンテンツを再生する再生手段と、操作手段と、前記再生手段により再生中のコンテンツに対する前記操作手段からの操作指令を監視し、前記コンテンツのうち１倍速以下の再生速度で再生された区間を特定する特定手段と、前記特定手段により特定された区間を示す情報を用いて前記コンテンツの再生履歴データを作成する作成手段と、前記作成手段により作成された再生履歴データを記憶手段に記憶する制御手段とを具備することを特徴としている。
【０００６】
本発明によれば、再生装置は、再生中のコンテンツに対する操作指令を監視して１倍速以下の再生速度で再生された区間を特定し、当該区間を示す情報を用いて再生中のコンテンツについての再生履歴データを作成し、記憶手段に記憶する。
【０００７】
なお、１倍速以下の再生速度でコンテンツを再生する態様には、例えば、スロー再生やコマ送り再生が含まれる。また、上記構成を有する再生装置において、前記特定手段は、前記再生手段により再生中のコンテンツに対する前記操作手段からの操作指令を監視し、前記コンテンツのうち１倍速以下の再生速度で予め定められた回数以上繰り返して再生された区間を特定する構成であってもよい。
【０００８】
また、上記構成を有する再生装置において、再生するコンテンツの再生履歴データが前記記憶手段に記憶されているか否かを判別する判別手段と、前記判別手段により前記再生履歴データが記憶されていると判別された場合は、当該再生履歴データを用いて前記再生手段による前記コンテンツの再生動作を制御する再生制御手段とをさらに具備するようにしてもよい。また、前記再生制御手段は、前記判別手段により前記再生履歴データが記憶されていると判別された場合は、当該再生履歴データに基づいて、再生するコンテンツのうち１倍速以下の再生速度で再生された区間の先頭に頭出ポイントを設定し、前記操作手段から頭出しを指示する操作指令が入力されると、前記設定された頭出ポイントに再生位置をスキップさせるようにしてもよい。
【０００９】
また、本発明は、コンテンツを再生する複数の再生装置と、当該複数の再生装置において再生されるコンテンツを管理する管理装置とを具備するコンテンツ再生システムにおいて、前記複数の再生装置の各々は、コンテンツを再生する再生手段と、操作手段と、前記再生手段により再生中のコンテンツに対する前記操作手段からの操作指令を監視し、前記コンテンツのうち１倍速以下の再生速度で再生された区間を特定する特定手段と、前記特定手段により特定された区間を示す情報を用いて前記コンテンツの再生履歴データを作成する作成手段と、前記作成手段により作成された再生履歴データを前記管理装置へ送信する送信手段とを具備し、前記管理装置は、前記再生装置から送信された再生履歴データを受信する受信手段と、前記受信手段により受信された再生履歴データをコンテンツ毎に分別する分別手段と、前記分別手段により分別された再生履歴データを解析し、コンテンツ毎に、再生履歴データを受信した再生装置のうち予め定められた割合以上の再生装置において１倍速以下の再生速度で再生された区間を検出する検出手段とを具備することを特徴としている。
【００１０】
本発明によれば、再生装置は、再生中のコンテンツに対する操作指令を監視して１倍速以下の再生速度で再生された区間を特定し、当該区間を示す情報を用いて再生中のコンテンツについての再生履歴データを作成して管理装置に送信する一方、管理装置は、再生装置から受信した再生履歴データをコンテンツ毎に分別し、コンテンツ毎に再生履歴データを解析して、再生履歴データを受信した再生装置のうち予め定められた割合以上の再生装置において１倍速以下の再生速度で再生された区間を検出する。
【００１１】
なお、上記構成を有するコンテンツ再生システムにおいて、前記特定手段は、前記再生手段により再生中のコンテンツに対する前記操作手段からの操作指令を監視し、前記コンテンツのうち１倍速以下の再生速度で予め定められた回数以上繰り返して再生された区間を特定する構成であってもよい。このような場合、前記検出手段は、コンテンツ毎に再生履歴データを解析し、再生履歴データを受信した再生装置のうち予め定められた割合以上の再生装置において１倍速以下の再生速度で予め定められた回数以上繰り返して再生された区間を検出する。
【００１２】
また、本発明は、コンピュータを、コンテンツを再生する再生手段と、前記再生手段により再生中のコンテンツに対する操作指令を監視し、前記コンテンツのうち１倍速以下の再生速度で再生された区間を特定する特定手段と、前記特定手段により特定された区間を示す情報を用いて前記コンテンツの再生履歴データを作成する作成手段と、前記作成手段により作成された再生履歴データをメモリに記憶する制御手段として機能させるためのプログラムを提供する。なお、このプログラムを記録したコンピュータ読み取り可能な記録媒体を提供してもよい。
【発明の効果】
【００１３】
本発明によれば、再生されたコンテンツについてユーザが興味や関心を示した部分を把握することができる。
【発明を実施するための最良の形態】
【００１４】
［Ａ．実施形態］
以下、図面を参照して本発明の実施形態について説明する。
図１は、本発明を適用した通信システム１の構成を示す図である。同図においてサーバ１０には、映画や曲データ、サッカーや野球の試合の録画映像等、ＰＣ（Personal Computer）３０において再生されるコンテンツ４０が多数記憶されている。また、ＰＣ３０は、サーバ１０から任意のコンテンツ４０をダウンロードして再生することができる。
【００１５】
図２は、本発明を適用したＰＣ３０のハードウェア構成を示すブロック図である。同図において、ＣＰＵ（Central Processing Unit）３０１は、ＲＯＭ（Read Only Memory）３０２やＨＤ（Hard Disk）３０８に記憶されているプログラムを実行することでＰＣ３０の各部を制御する。ＲＡＭ（Random Access Memory）３０３は、ＣＰＵ３０１のワークエリアとして用いられる。通信インタフェース３０４は、ＣＰＵ３０１の制御の下、サーバ１０との通信を制御する。操作部３０５は、キーボードやマウス等によって構成されている。また、表示部３０６はＬＣＤ（Liquid Crystal Display）等によって構成されている。再生処理部３０７は、サーバ１０からダウンロードしたコンテンツ４０を再生し、表示部３０６に動画を表示したり、図示を省略したスピーカから曲データの再生音を出力する。
【００１６】
なお、コンテンツ４０の再生が開始されると、表示部３０６には図３に示す操作画面（ユーザインタフェース）が表示される。同図に示すように操作画面には、コンテンツ４０の再生を一時停止する一時停止ボタン５０Ａと、再生中のコンテンツ４０を早送りする早送ボタン５０Ｂと、次のコンテンツ４０の再生に移行するスキップボタン５０Ｃと、再生中のコンテンツ４０を巻戻す巻戻ボタン５０Ｄと、再生中のコンテンツ４０の先頭に再生位置を戻す頭出ボタン５０Ｅとが設けられている。なお、コンテンツ４０が一時停止されている期間においては、一時停止ボタン５０Ａの代りに、コンテンツ４０の再生を再開させる再生ボタンが表示される。また、再生中のコンテンツ４０に対して頭出ポイントが設定されている場合は、スキップボタン５０Ｃや頭出ボタン５０Ｅをクリックすることによって、設定されている頭出ポイントに再生位置をスキップさせることができる。ここで、スキップボタン５０Ｃがクリックされた場合は、当該スキップボタン５０Ｃがクリックされた時点における再生位置よりも後ろに設定されている頭出ポイントに再生位置がスキップし、頭出ボタン５０Ｅがクリックされた場合は、当該頭出ボタン５０Ｅがクリックされた時点における再生位置よりも前に設定されている頭出ポイントに再生位置がスキップする。
【００１７】
次に、ＨＤ３０８には、後述する再生履歴データ作成処理（図５参照）や再生制御処理（図６参照）を制御するためのアプリケーションソフトウェア（プログラム）に加え、サーバ１０からダウンロードしたコンテンツ４０が記憶される。また、ＨＤ３０８には、再生履歴データ６０（図４参照）が記憶される。この再生履歴データ６０には、図４に示すように、コンテンツ４０を識別するコンテンツ識別情報（コンテンツ４０に対して割り当てられた識別番号やコンテンツ名等）と、このコンテンツ４０の再生可能な全区間のうち、通常の再生速度（１倍速）で再生された区間を示す通常再生区間情報とが対応付けられている。
【００１８】
なお、通常再生区間情報は、タグ等を用いてコンテンツ４０自体に付加される構成であってもよい。また、図４に示した再生履歴データ６０において、通常再生区間情報を構成する区間開始ポイントと区間終了ポイントは、通常の再生速度でコンテンツ４０を先頭から再生したときの経過時間で示されている。
【００１９】
次に、ＰＣ３０の動作を説明する。
図５は、ＰＣ３０において実行される再生履歴データ作成処理のフローチャートである。この再生履歴データ作成処理は、ＰＣ３０においてコンテンツ４０が再生されると、ＣＰＵ３０１により実行される。なお、コンテンツ４０の再生が開始されると、図３に示した操作画面が表示部３０６に表示される。そして、図５に示すように、まず、ＣＰＵ３０１は、再生中のコンテンツ４０に対するボタン５０Ａ〜５０Ｅの操作を監視し（ステップＳ１０１）、再生中のコンテンツ４０について通常の再生速度で再生された区間を特定する（ステップＳ１０２）。
【００２０】
例えば、“00：00：00”〜“00：15：08”までの区間では早送りボタン５０Ｂが押下され続けて早送り再生が行われ、“00：15：09”〜“00：18：32”までの区間では通常の再生速度（１倍速）で再生が行われ、その後、また早送り再生が行われた場合、ＣＰＵ３０１は、“00：15：09”〜“00：18：32”までの区間を、通常の再生速度で再生された区間として特定する。また、例えば、早送り再生が“00：41：34”まで行われた後、巻戻ボタン５０Ｄが押下されて“00：41：12”まで巻き戻しが行われ、その後、“00：41：12”〜“00：44：58”までの区間において通常の再生速度で再生が行われた場合、ＣＰＵ３０１は、“00：41：12”〜“00：44：58”までの区間を、通常の再生速度で再生された区間として特定する。なお、このようにして特定された、通常の再生速度で再生された区間を示す通常再生区間情報は、まず、ＲＡＭ３０３に一時的に記憶される。
【００２１】
次いで、ＣＰＵ３０１は、コンテンツ４０の再生が終了したか否かを判別し（ステップＳ１０３）、コンテンツ４０の再生が終了していない場合は（ステップＳ１０３：ＮＯ）、ステップＳ１０１に戻り、コンテンツ４０の再生が終了するまでステップＳ１０１，Ｓ１０２の処理を継続して行う。一方、コンテンツ４０の再生が終了した場合（ステップＳ１０３：ＹＥＳ）、ＣＰＵ３０１は、再生を終えたコンテンツ４０についての再生履歴データ６０を作成する（ステップＳ１０４）。このステップＳ１０４に示す処理について具体的に説明すると、まず、ＣＰＵ３０１は、再生を終えたコンテンツ４０について、このコンテンツ４０に対して割り当てられた識別番号やコンテンツ名等のコンテンツ識別情報を取得する。次いで、ＣＰＵ３０１は、ＲＡＭ３０３に記憶されている通常再生区間情報を読み出す。そして、ＣＰＵ３０１は、コンテンツ識別情報と通常再生区間情報とを対応付けて再生履歴データ６０を作成する。この後、ＣＰＵ３０１は、作成した再生履歴データ６０をＨＤ３０８に保存し（ステップＳ１０５）、再生履歴データ作成処理を終える。
【００２２】
次に、図６は、ＰＣ３０において実行される再生制御処理のフローチャートである。この再生制御処理は、これから再生しようとしているコンテンツ４０についての再生履歴データ６０がＨＤ３０８に記憶されている場合に、ＣＰＵ３０１により実行される。同図に示すように、まず、ＣＰＵ３０１は、再生するコンテンツ４０の再生履歴データ６０をＨＤ３０８から読み出す（ステップＳ２０１）。この際、ＣＰＵ３０１は、再生するコンテンツ４０のコンテンツ識別情報を取得し、取得したコンテンツ識別情報に対応する再生履歴データ６０をＨＤ３０８から読み出す。次いで、ＣＰＵ３０１は、読み出した再生履歴データ６０に基づいて、通常の再生速度で再生済みの区間を特定するとともに、再生するコンテンツ４０に対し、特定した区間の先頭に頭出ポイントを設定する（ステップＳ２０２）。例えば、上記ステップＳ２０１において読み出された再生履歴データ６０内に、通常再生区間情報として“00：15：09”〜“00：18：32”と“00：41：12”〜“00：44：58”が記録されていた場合、ＣＰＵ３０１は、再生するコンテンツ４０に対し、“00：15：09”と“00：41：12”に頭出ポイントを設定する。
【００２３】
次いで、ＣＰＵ３０１は、頭出ポイントを設定したコンテンツ４０の再生処理を開始するとともに（ステップＳ２０３）、スキップボタン５０Ｃと頭出ボタン５０Ｅのいずれかがクリックされたか否かを判別する（ステップＳ２０４）。その結果、スキップボタン５０Ｃと頭出ボタン５０Ｅの両方がともにクリックされていない場合（ステップＳ２０４：ＮＯ）、ＣＰＵ３０１は、ステップＳ２０３に戻り、コンテンツ４０の再生処理を継続する。
【００２４】
一方、スキップボタン５０Ｃと頭出ボタン５０Ｅのいずれか一方がクリックされた場合（ステップＳ２０４：ＹＥＳ）、ＣＰＵ３０１は、上記ステップＳ２０２において設定された頭出ポイントに再生位置をスキップさせ（ステップＳ２０５）、スキップさせた再生位置から再生処理を再開する。なお、スキップボタン５０Ｃがクリックされた場合は、当該スキップボタン５０Ｃがクリックされた時点における再生位置よりも後ろに設定されている頭出ポイントに再生位置をスキップさせる。また、頭出ボタン５０Ｅがクリックされた場合は、当該頭出ボタン５０Ｅがクリックされた時点における再生位置よりも前に設定されている頭出ポイントに再生位置をスキップさせる。
【００２５】
この後、ＣＰＵ３０１は、コンテンツ４０の再生が終了したか否かを判別し（ステップＳ２０６）、コンテンツ４０の再生が終了していない場合は（ステップＳ２０６：ＮＯ）、ステップＳ２０３に戻る一方、コンテンツ４０の再生が終了した場合は（ステップＳ２０６：ＹＥＳ）、再生制御処理を終える。
【００２６】
なお、再生されたコンテンツ４０のうちユーザが興味や関心を示した部分には、通常の再生速度（１倍速）で再生された区間に加え、スロー再生やコマ送り再生が行われた区間を含むことができる。この場合には、操作画面にスロー再生ボタンやコマ送り再生ボタンを設けるとともに、ＰＣ３０では、これらのボタン操作を監視し、通常の再生速度で再生が行われた区間に加え、スロー再生やコマ送り再生が行われた区間を特定し、当該特定された区間を示す区間情報を用いて再生履歴データ６０を生成する構成とすればよい。つまり、ＰＣ３０では、再生中のコンテンツ４０のうち１倍速以下で再生された区間を特定してやればよい。
【００２７】
また、ＰＣ３０は、再生中のコンテンツ４０のうち１倍速以下の再生速度で予め定められた回数（例えば３回）以上繰り返して再生された区間を特定し、当該特定された区間を示す区間情報を用いて再生履歴データ６０を作成する構成としてもよい。
【００２８】
以上説明したように本実施形態によれば、ＰＣ３０は、再生中のコンテンツ４０に対する操作指令を監視して１倍速以下の再生速度で再生された区間を特定し、特定された区間を示す区間情報を用いて再生中のコンテンツ４０に対する再生履歴データ６０を作成し、ＨＤ３０８に記憶する。よって、再生されたコンテンツ４０のうち１倍速以下の再生速度で再生された、ユーザが興味や関心を示した部分を把握することができる。また、ＰＣ３０は、再生するコンテンツ４０に対して再生履歴データ６０が記憶されている場合、再生するコンテンツ４０に対し、１倍速以下の再生速度で再生済みの区間の先頭に頭出ポイントを設定し、スキップボタン５０Ｃや頭出ボタン５０Ｅがクリックされると、設定した頭出ポイントに再生位置をスキップさせる。よって、１倍速以下の再生速度で再生済みの、ユーザが興味や関心を示した部分を自動的に特定して再生することができる。
【００２９】
なお、ＰＣ３０（コンピュータ）は、ＨＤ３０８にインストールされているプログラムに従って本発明に係る再生履歴データ作成処理（図５参照）や再生制御処理（図６参照）を実行するが、このプログラムを通信によってＰＣ３０へと送信し、ＨＤ３０８やＲＯＭ３０２にインストールしてもよい。また、このプログラムをＣＤ−ＲＯＭ（Compact Disk Read Only Memory）やＤＶＤ（Digital Versatile Disk）、メモリカード等のコンピュータが読み取り可能な記録媒体に記録して提供してもよい。
【００３０】
［Ｂ．変形例］
（１）上述した実施形態では、１倍速以下の再生速度で再生済みの区間の先頭に頭出ポイントを設定し、スキップボタン５０Ｃや頭出ボタン５０Ｅがクリックされると、設定された頭出ポイントに再生位置をスキップさせる構成としたが、頭出ポイントを設定せず、再生するコンテンツ４０に対して再生履歴データ６０が記憶されている場合は、当該再生履歴データ６０に記録されている、１倍速以下の再生速度で再生された区間のみを再生する構成としたり、あるいは逆に、再生履歴データ６０に記録されている区間以外を再生する構成としてもよい。
【００３１】
（２）上述した実施形態において、ＰＣ３０は、作成した再生履歴データ６０をサーバ１０に送信する構成であってもよい。このような場合にサーバ１０において実行される再生区間検出処理のフローチャートを図７に示す。
【００３２】
同図に示すように、サーバ１０は、複数のＰＣ３０の各々から再生履歴データ６０を受信すると（ステップＳ３０１）、まず、再生履歴データ６０に含まれているコンテンツ識別情報に基づいて、受信した再生履歴データ６０をコンテンツ４０毎に分別する（ステップＳ３０２）。次いで、サーバ１０は、コンテンツ毎に再生履歴データ６０を解析し、再生履歴データ６０を受信したＰＣ３０のうち予め定められた割合以上のＰＣ３０において１倍速以下の再生速度で再生された区間を検出する（ステップＳ３０３）。なお、予め定められた割合とは、例えば８０％等である。このような構成であると、サーバ１０では、インターネット２０を介してＰＣ３０に提供したコンテンツ４０について、多数のユーザが関心や興味を示した部分を把握することができるから、ステップＳ３０３において検出された区間の情報をマーケティング情報として活用することができる。また、ステップＳ３０３において検出された区間内のコンテンツデータを用いて、コンテンツ４０のサンプルデータを作成し、当該作成したサンプルデータをコンテンツ４０をダウンロードする際の参考情報としてユーザに提示することができる。
【００３３】
なお、再生履歴データ６０の送信先となるサーバは、コンテンツ４０のダウンロード元となるサーバ１０以外であってもよい。但し、この場合は、再生履歴データ６０の送信先となるサーバ（管理装置）の通信アドレスをＰＣ３０が事前に把握している必要がある。したがって、例えば、サーバ１０からコンテンツ４０をダウンロードする際に、ダウンロードするコンテンツ４０とともに、このコンテンツ４０についての再生履歴データ６０の送信先を指定する通信アドレスがＰＣ３０にダウンロードされる構成であってもよい。
【００３４】
（３）再生履歴データ６０やコンテンツ４０が記憶される記憶手段は、ＨＤ３０８以外に、例えば、ＰＣ３０に対して着脱自在なＤＶＤやメモリカード等の記録媒体や、外付けハードディスク等であってもよい。また、サーバ１０とＰＣ３０の通信は、公衆交換電話網や専用回線を介して行われてもよいし、移動パケット通信網や無線公衆ＬＡＮ（Local Area Network）を介して行われてもよい。
【００３５】
（４）本発明に係る再生装置は、ＣＤプレイヤやＤＶＤプレイヤ等であってもよい。すなわち、サーバ等の外部機器と通信を行って動画データや曲データ等のコンテンツ４０を取得するのではなく、ＣＤ−ＲＯＭやＤＶＤ等の着脱自在な記録媒体から動画データや曲データを読み出して再生する再生装置であってもよい。勿論、パケット通信機能を有する携帯電話機やＭＰ３（MPEG Audio Layer-3）プレイヤであってもよい。なお、ＣＤプレイヤやＤＶＤプレイヤ等の場合、早送り、巻き戻し、スキップ、停止等の操作を指示するボタンは、画面に表示されるソフトボタンではなく、プレイヤ本体等に操作子として設けられる。また、コンテンツ４０は、動画データや曲データに限定されず、録音された会話データ等の音声データであってもよい。
【図面の簡単な説明】
【００３６】
【図１】通信システム１の構成を示す図である。
【図２】ＰＣ３０のハードウェア構成を示すブロック図である。
【図３】ＰＣ３０においてコンテンツ４０の再生が開始されると表示部３０６に表示される操作画面（ユーザインタフェース）について示す図である。
【図４】再生履歴データ６０のデータ構成について示す図である。
【図５】ＰＣ３０において実行される再生履歴データ作成処理について示すフローチャートである。
【図６】ＰＣ３０において実行される再生制御処理について示すフローチャートである。
【図７】サーバ１０において実行される再生区間検出処理について示すフローチャートである。
【符号の説明】
【００３７】
１…通信システム、１０…サーバ、２０…インターネット、３０…ＰＣ、４０…コンテンツ、５０Ａ…一時停止ボタン、５０Ｂ…早送ボタン、５０Ｃ…スキップボタン、５０Ｄ…巻戻ボタン、５０Ｅ…頭出ボタン、６０…再生履歴データ、３０１…ＣＰＵ、３０２…ＲＯＭ、３０３…ＲＡＭ、３０４…通信インタフェース、３０５…操作部、３０６…表示部、３０７…再生処理部、３０８…ＨＤ。
【図１】
2006245899.tif 000003
【図２】
2006245899.tif 000004
【図３】
2006245899.tif 000005
【図４】
2006245899.tif 000006
【図５】
2006245899.tif 000007
【図６】
2006245899.tif 000008
【図７】
2006245899.tif 000009